【手続補正書】
【提出日】平成16年2月25日(2004.2.25)
【手続補正１】
【補正対象書類名】明細書
【補正対象項目名】特許請求の範囲
【補正方法】変更
【補正の内容】
【特許請求の範囲】
【請求項１】
電子商取引によりサービス提供者とサービス利用者との間でサービス提供取引に伴う決済金額が設定された後、前記サービス提供者から前記サービス利用者へ前記サービス提供が行われる前に、前記サービス利用者の口座から金融機関保有の口座へ前記決済金額を電子的に移動し、電子キーを生成して前記サービス利用者の計算機へ送信し、当該取引に関する前記電子キー及び他の決済情報を記憶手段に登録し、
前記サービス提供が行われた後に、前記電子キーを前記サービス利用者の計算機から前記サービス提供者の計算機へ電子的に移動し、前記サービス提供者の計算機から受信した前記電子キーが前記記憶手段に登録されたものであれば、前記金融機関保有の口座から前記サービス提供者の口座へ前記決済金額を電子的に移動することを特徴とする電子キーを利用する決済方法。
【請求項２】
電子商取引によりサービス提供者とサービス利用者との間でサービス提供取引に伴う決済金額が設定された後、前記サービス提供者から前記サービス利用者へ前記サービス提供が行われる前に、前記サービス利用者の口座から金融機関保有の口座へ前記決済金額を電子的に移動し、サービス提供者用の第１の電子キーとサービス利用者用の第２の電子キーを生成し、前記第１の電子キーを前記サービス提供者の計算機へ前記第２の電子キーを前記サービス利用者の計算機へ各々送信し、当該取引に関する前記第１の電子キー、前記第２の電子キー及び他の決済情報を記憶手段に登録し、
前記サービス提供が行われた後に、前記第２の電子キーを前記サービス利用者の計算機から前記サービス提供者の計算機へ電子的に移動し、前記サービス提供者の計算機から受信した前記第２の電子キーが前記記憶手段に登録されたものであれば、前記金融機関保有の口座から前記サービス提供者の口座へ前記決済金額を電子的に移動することを特徴とする電子キーを利用する決済方法。
【請求項３】
前記サービス提供者の計算機から前記第１の電子キーとともに前記取引のキャンセルがあったとき、受信した前記第１の電子キーが前記記憶手段に登録されたものであれば、前記金融機関保有の口座から前記サービス利用者の口座へ前記決済金額を電子的に移動することを特徴とする請求項２記載の電子キーを利用する決済方法。
【請求項４】
前記サービス提供が行われた後に、前記サービス利用者の口座から前記金融機関保有の口座へ追加金額を電子的に移動し、前記決済情報として前記追加金額を追加登録し、前記サービス提供者の計算機から受信した前記第２の電子キーが前記記憶手段に登録されたものであれば、前記金融機関保有の口座から前記サービス提供者の口座へ前記決済金額に前記追加金額を加えた金額を電子的に移動することを特徴とする請求項２記載の電子キーを利用する決済方法。
【請求項５】
電子商取引によりサービス提供者とサービス利用者との間でサービス提供取引に伴う決済金額が設定された後に決済システムによって行われる方法であって、前記サービス提供者から前記サービス利用者へ前記サービス提供が行われる前に、前記取引に係わる振込情報を受信して前記振込情報に含まれる前記サービス提供者の口座の存在を確認し、前記サービス利用者の口座から振り込まれた前記決済金額を決済用口座に受け取り、電子キーを生成して前記サービス利用者の計算機へ送信し、当該取引に関する前記電子キー及び他の決済情報を記憶手段に登録し、
前記サービス提供が行われた後に、前記サービス提供者の計算機から受信した前記電子キーが前記記憶手段に登録されたものであれば、前記決済用口座から前記サービス提供者の口座へ前記決済金額を振り込むことを特徴とする電子キーを利用する決済方法。
【請求項６】
電子商取引によりサービス提供者とサービス利用者との間でサービス提供取引に伴う決済金額が設定された後に決済システムによって行われる方法であって、前記サービス提供者から前記サービス利用者へ前記サービス提供が行われる前に、前記取引に係わる振込情報を受信して前記振込情報に含まれる前記サービス提供者の口座の存在を確認し、前記サービス利用者の口座から振り込まれた前記決済金額を決済用口座に受け取り、サービス提供者用の第１の電子キーとサービス利用者用の第２の電子キーを生成し、前記第１の電子キーを前記サービス提供者の計算機へ前記第２の電子キーを前記サービス利用者の計算機へ各々送信し、当該取引に関する前記第１の電子キー、前記第２の電子キー及び他の決済情報を記憶手段に登録し、
前記サービス提供が行われた後に、前記サービス提供者の計算機から受信した前記第２の電子キーが前記記憶手段に登録されたものであれば、前記決済用口座から前記サービス提供者の口座へ前記決済金額を振り込むことを特徴とする電子キーを利用する決済方法。
【請求項７】
前記サービス提供者の計算機から前記第１の電子キーとともに前記取引のキャンセルがあったとき、受信した前記第１の電子キーが前記記憶手段に登録されたものであれば、前記決済用口座から前記サービス利用者の口座へ前記決済金額を振り込むことを特徴とする請求項６記載の電子キーを利用する決済方法。
【請求項８】
前記サービス提供が行われた後に、前記サービス利用者の口座から振り込まれた追加金額を前記決済用口座に受け取り、前記決済情報として前記追加金額を追加登録し、前記サービス提供者の計算機から受信した前記第２の電子キーが前記記憶手段に登録されたものであれば、前記決済用口座から前記サービス提供者の口座へ前記決済金額に前記追加金額を加えた金額を振り込むことを特徴とする請求項６記載の電子キーを利用する決済方法。
【請求項９】
電子商取引によりサービス提供者とサービス利用者との間でサービス提供取引に伴う決済金額が設定された後、前記サービス提供者から前記サービス利用者へ前記サービス提供が行われる前に、前記サービス利用者の口座から金融機関保有の口座へ前記決済金額を電子的に移動する手段と、電子キーを生成して前記サービス利用者の計算機へ送信する手段と、当該取引に関する前記電子キー及び他の決済情報を記憶手段に登録する手段と、
前記サービス提供が行われた後に、前記電子キーを前記サービス利用者の計算機から前記サービス提供者の計算機へ電子的に移動する手段と、前記サービス提供者の計算機から受信した前記電子キーが前記記憶手段に登録されたものであれば、前記金融機関保有の口座から前記サービス提供者の口座へ前記決済金額を電子的に移動する手段とを有することを特徴とする電子キーを利用する決済システム。
【請求項１０】
電子商取引によりサービス提供者とサービス利用者との間でサービス提供取引に伴う決済金額が設定された後、前記サービス提供者から前記サービス利用者へ前記サービス提供が行われる前に、前記サービス利用者の口座から金融機関保有の口座へ前記決済金額を電子的に移動する手段と、サービス提供者用の第１の電子キーとサービス利用者用の第２の電子キーを生成する手段と、前記第１の電子キーを前記サービス提供者の計算機へ前記第２の電子キーを前記サービス利用者の計算機へ各々送信する手段と、当該取引に関する前記第１の電子キー、前記第２の電子キー及び他の決済情報を記憶手段に登録する手段と、
前記サービス提供が行われた後に、前記第２の電子キーを前記サービス利用者の計算機から前記サービス提供者の計算機へ電子的に移動する手段と、前記サービス提供者の計算機から受信した前記第２の電子キーが前記記憶手段に登録されたものであれば、前記金融機関保有の口座から前記サービス提供者の口座へ前記決済金額を電子的に移動する手段とを有することを特徴とする電子キーを利用する決済システム。
【請求項１１】
電子商取引によりサービス提供者とサービス利用者との間でサービス提供取引に伴う決済金額が設定された後の決済を行うシステムであって、前記サービス提供者から前記サービス利用者へ前記サービス提供が行われる前に、前記取引に係わる振込情報を受信して前記振込情報に含まれる前記サービス提供者の口座の存在を確認する手段と、前記サービス利用者の口座から振り込まれた前記決済金額を決済用口座に受け取る手段と、サービス提供者用の第１の電子キーとサービス利用者用の第２の電子キーを生成する手段と、前記第１の電子キーを前記サービス提供者の計算機へ前記第２の電子キーを前記サービス利用者の計算機へ各々送信する手段と、当該取引に関する前記第１の電子キー、前記第２の電子キー及び他の決済情報を記憶手段に登録する手段と、
前記サービス提供が行われた後に、前記サービス提供者の計算機から受信した前記第２の電子キーが前記記憶手段に登録されたものであれば、前記決済用口座から前記サービス提供者の口座へ前記決済金額を振り込む手段とを有することを特徴とする電子キーを利用する決済システム。